(57)【要約】【課題】  プリント基板へのマスキングテープの貼り付け、テープの切断を精度よく、且つ能率的に行えるマスキングテープ貼り付け具を提供する。【解決手段】  マスキングテープがテープ保持部に装着され、テープの先端がテープガイド部に待機された状態で握持部を握ることにより、テープ先端はカット部から外側に送り出され、テープを引き出すことができる。この状態で、テープの先端をプリント基板の所定の位置に貼り付け、テープの貼る方向に本体を移動させながらテープを引き出し、所定の位置で止める。つぎに、握持柄を押し下げることによりテープが切断され、マスキングテープの貼り付けを行う。【選択図】  図４
2006052086.tif 000002
【特許請求の範囲】
【請求項１】
プリント基板にマスキングテープを貼り付けるマスキングテープ貼り付け具であって、
本体は、中央部にロール状のマスキングテープを回転可能に保持するテープ保持部と、上記本体の下部に上記マスキングテープから剥離し引き出されたテープを待機させるテープガイド部と、上記本体の上部に支持され回動可能で上記本体から離間する方向に付勢された握持柄を備え、この握持柄の下端部に固定刃を設け、この固定刃と圧接して摺動可能で下方向に付勢され上下移動できるスライド刃とによりテープ切断を行うカット部を有し、
上記握持柄を上記本体に近づける方向へ押すことにより、上記テープガイド部に待機されたマスキングテープの先端を上記カット部の外側に進出させ、上記握持柄を下方向に押すことにより引き出されたマスキングテープを切断できるように構成されていることを特徴とするマスキングテープ貼り付け具。
【請求項２】
上記カット部の上記固定刃は刃先端底面を勾配面とし、上記スライド刃は逆コ字形状であることを特徴とする請求項１記載のマスキングテープ貼り付け具。
【請求項３】
上記スライド刃と一体的に移動し、このスライド刃の外側に突出したテープ押え片を備えたことを特徴とする請求項１記載のマスキングテープ貼り付け具。
【発明の詳細な説明】
【技術分野】
【０００１】  本発明は、プリント基板にマスキングテープを貼り付け、切断するマスキングテープ貼り付け具に関するものである。
【発明の開示】
【発明が解決しようとする課題】
【０００２】  プリント基板に電子部品を実装し、ディプ槽あるいはフロー槽等により半田付けする際に、後加工により手半田付けで後付けする部品がある。この後付けする部品を実装するためのスルホール孔が半田で塞がること、あるいは半田が付いてほしくない部分に半田が付くことを防止するために、マスキングテープを貼り付けることが行われている。
マスキングテープは片面に粘着剤を塗布した耐熱性の粘着テープである。従来、このテープの貼り付け作業は、ロール状のマスキングテープをテープ切断器あるいはハサミ等により所定の長さに切断した短尺テープをプリント基板の所定の位置に貼り付けるか、あるいはロール状のマスキングテープを引き出しながらプリント基板の所定の位置に貼り付けた後、ナイフ状の刃をプリント基板上のマスキングテープに押し当てテープを引っ張って切り取っていた。【０００３】  テープは薄くて、粘着性があるため、長尺になると事前に切断しておくことは作業性が悪く、また、刃をプリント基板に押し当てて作業することは品質上好ましいものではなかった。【０００４】  本発明は、上記課題に鑑みてなされたものであり、プリント基板へのマスキングテープの貼り付け、切断に他の道具を必要とせず、テープの長短に係らず精度良く、且つ能率的で作業性の良いマスキングテープ貼り付け具を提供することを目的とする。
【課題を解決するための手段】
【０００５】  上記課題を解決するため、請求項１に係る発明は、プリント基板にマスキングテープを貼り付けるマスキングテープ貼り付け具であって、本体は、中央部にロール状のマスキングテープを回転可能に保持するテープ保持部と、上記本体の下部に上記マスキングテープから剥離し引き出されたテープを待機させるテープガイド部と、上記本体の上部に支持され回動可能で上記本体から離間する方向に付勢された握持柄を備え、この握持柄の下端部に固定刃を設け、この固定刃と圧接して摺動可能で下方向に付勢され上下移動できるスライド刃とによりテープ切断を行うカット部を有し、上記握持柄を上記本体に近づける方向へ押すことにより、上記テープガイド部に待機されたマスキングテープの先端を上記カット部の外側に進出させ、上記握持柄を下方向に押すことにより引き出されたマスキングテープを切断できるように構成されていることを特徴とするものである。【０００６】  また、請求項２に係る発明は、請求項１記載のマスキングテープ貼り付け具において、上記カット部の上記固定刃は刃先端底面を勾配面とし、上記スライド刃は逆コ字形状であるものである。【０００７】  また、請求項３に係る発明は、請求項１記載のマスキングテープ貼り付け具において、上記スライド刃と一体的に移動し、このスライド刃の外側に突出したテープ押え片を備えたものである。
【発明の効果】
【０００８】  請求項１に係る発明によれば、本体には、マスキングテープを保持するテープ保持部と、テープ先端を待機させるテープガイド部と、固定刃と圧接して上下移動できるスライド刃によるカット部を設けた握持柄を備え、上記握持柄を押すことによりテープガイド部に待機されたテープ先端はカット部の外側に進出させ、また上記握持柄を下方向に押すことにより引き出されたテープを切断できるように構成されているので、握持柄を押してマスキングテープを引き出し、プリント基板に貼り付けた後、所定の位置で切断できるため、テープの切断を精度よく且つ能率的で作業性のよいものとすることができる。【０００９】  請求項２に係る発明においては、上記固定刃は刃先端底面を勾配面とし、上記スライド刃は逆コ字形状としてカット部が構成されているので、簡単な構成で上記握持柄を下方向に押すだけの作業でテープを精度よく切断することができる。【００１０】  請求項３に係る発明においては、テープ押え片が上記スライド刃と一体的に移動し、このスライド刃の外側に突出するように構成されているので、引き出されたテープをプリント基板のマスキングテープを貼り付ける先頭位置にテープを押えながら合わせることが容易となる。
【発明を実施するための最良の形態】
【００１１】  本発明の好ましい実施の形態を図面に基づいて説明する。なお、以下の実施形態では、プリント基板へのマスキングテープの貼り付けに適用する場合について説明するが、本発明のマスキングテープ貼り付け具は、プリント基板への貼り付けだけでなく、例えば塗装やメッキ等、マスキングを必要とするものに広く適用可能である。
【実施例１】
【００１２】  本発明の第１実施例を図１ないし図１０に示す図面に基づいて説明する。図１ないし図３は本発明の一実施例のマスキングテープ貼り付け具１にマスキングテープＴを装着した状態を示す外観図である。【００１３】  図４は図１におけるＡ−Ａ線断面図であり、マスキングテープＴが装着された初期状態を示している。【００１４】  マスキングテープ貼り付け具１の本体２は、中央部に一部凹部を設けた概略円筒状でロール状のマスキングテープＴを回転可能に保持するテープ保持部３と、下部にマスキングテープＴの引き出しをガイドする棒状の突起４と、この突起４と平行してテープの通る隙間を有した突起状の舌片５を設け、マスキングテープＴから剥離し引き出されたテープを待機させるテープガイド部６と、上部に握持柄７の支軸８を備えている。尚、テープ保持部３の中心部にはマスキングテープ貼り付け具１を保持あるいは操作するための保持穴９を設けている。【００１５】  握持柄７は、一部が断面コ字状の平板で、上端部は支軸８により支持され回動可能で本体２のばね取付けボス１０に保持された圧縮コイルばね１１により本体２から離間する外方向に付勢され、本体２から突出した突起１２に握持柄７の略中央部に固定されて取付けられた押突起片１３と一体的なフック１４が係止して本体２から離間する外方向の動きが阻止されている。【００１６】  握持柄７の下端部には引き出されたマスキングテープＴを切断するためのカット部１５が設けられ、その詳細を示した図９と共に説明する。【００１７】  握持柄７の下部は平面板状で、略中央部に長孔１６を設け、下端底面は逆へ字形状の勾配面とし、その裏面は勾配状に研磨された鋭利な刃１７ａを有した固定刃１７としている。【００１８】  スライド刃１８は平板状で、下部に逆コ字形状の切り欠き１９を有し、逆コ字形状の下面外側を勾配状に研磨された鋭利な刃１８ａとし、この刃１８ａを形成した板部を内側に僅かに湾曲させている。【００１９】  固定刃１７の裏側に設けたガイド部材２０は２箇所のボス２１、２２を有し、刃１７ａに近い下側のボス２１の周囲は凹穴として圧縮コイルばね２３が装着され、ボス２１、２２は固定刃１７の長孔１６を通し、圧縮コイルばね２３の他端が固定刃１７の裏側を押圧するようにして固定刃１８と熱カシメあるいはビス止め等により一体的に固定され、スライド刃１８は固定刃１７と圧接して上下方向に摺動可能となっている。また、ガイド部材２０の上端のばね取付けボス２４に圧縮コイルばね２５が装着され、その他端は押突起片１３から握持柄７の内側に突出したばね受部２６に係止し、ガイド部材２０ならびにスライド刃１８を下方向に付勢している。この状態でスライド刃１８の切り欠き１９は固定刃１７の下部に位置し、カット部１５を形成してマスキングテープの通路となる。【００２０】  テープ保持部３におけるマスキングテープＴの保持状態を、図２のＢ−Ｂ線断面を示した図１０により説明する。本体２のテープ保持部３の凹部に、本体２から突出した円柱状の軸２７を設け、段付状のツマミ２８を圧接し、且つ着脱自在に取付けている。マスキングテープＴは、本体２のテープ台２９とツマミ２８の大径ツバ部との間で少し隙間をもって挟まれ、ツマミ２８の小径ボス部はマスキングテープＴの内径円周より少し内側とし、マスキングテープＴが外れることなく且つ回転可能に保持されている。【００２１】  本体２の内面から少し突出した突起３０は、ガイド部材２０から突出した突起３１と係合し、握持柄７を本体２方向に押したときは干渉するとなく、また握持柄７を下方向に押してスライド刃１８と一体的なガイド部材２０を上方向に移動させたときは握持柄７の本体２方向への動きを阻止する。【００２２】  次に、上記構成のマスキングテープ貼り付け具１のテープ貼り付け動作について、上述の各図および図５ないし図８を参照して説明する。【００２３】  図５は、図４の初期状態から握持柄７を本体２の方向へ押した状態を示し、カット部１５は本体２のテープガイド部６に近づく方向に移動して、テープガイド部６に待機したマスキングテープＴの先端部Ｔａはガイド部材２０の下面に沿ってカット部１５の切り欠き１９を通りカット部１５の外側へ送り出される。この送り出されたマスキングテープＴの先端部Ｔａを摘み、更に少し引き出した後、握持柄７を押すことを止めれば、握持柄７は圧縮コイルばね１１の付勢力により押突起片１３のフック１４が本体２の突起１２に係止するまで復帰し、図６に示すように元の初期状態と同じ位置に戻る。【００２４】  カット部１５から引き出されたマスキングテープＴの先端部Ｔａを図７で示すように、プリント基板Ｐ上の所定の貼り付け先頭位置Ｐａに貼り付け、そのままマスキングテープ貼り付け具１を移動して、マスキングテープＴを引き出しながら所定の貼り付け終端位置Ｐｂに、カット部１５を合わせる。【００２５】  次に、図８に示すように、カット部１５をプリント基板Ｐ上の所定の貼り付け終端位置Ｐｂに合わせたまま握持柄７の押突起片１３を下方向に押すと、握持柄７の下端部に設けた固定刃１７はスライド刃１８と圧接して摺動し、圧縮コイルばね２５による下方向への付勢力に抗して下方向へ押され、カット部１５において固定刃１７の刃部とスライド刃１８の刃部が紙切りハサミのごとく勾配をもち刃先が圧接されて閉じられ、カット部１５を通ったマスキングテープＴは切断される。【００２６】  スライド刃１８およびガイド部材２０は、握持柄７を下方向へ押すことを止めれば、図４に示すように元の初期状態にもどる。このとき、本体２側のマスキングテープＴの先端部Ｔａはガイド部材２０の下面に押されて固定刃１７の刃部から離され、中間部ＴｂはマスキングテープＴ自身の自重および屈曲復元性により、舌片５の上面に接触し、マスキングテープＴの粘着力により僅かに貼り付き保持される。
【実施例２】
【００２７】  次に、第２実施例を図１１および図１２に示す図面に基づいて説明する。この第２実施例は、スライド刃１８の外側にテープ押え片３２をスライド刃１８と一体的に取付けたものである。以下、この点を重点的に説明する。第２実施例において、第１実施例と同一ないし略同一の構成は図面において同符号で表してその説明を省略する。【００２８】  図１１は、第１実施例の図４と同じ状態を示す断面図であり、図１２はテープ貼り付け動作の一時点を示す説明図である。【００２９】  テープ押え片３２は、透明体で、スライド刃１８の外面に密着してガイド部材２０と共に一体的に取付けられ、先端部は斜め下方向に突出した舌片３３を有している。この舌片３３の下面はスライド刃１８の切り欠き１９の上部に位置し、カット部１５の上ガイドの役目を成すこととなる。【００３０】  このように構成されているので、握持柄７を本体２の方向へ押してマスキングテープＴの先端をカット部１５の外側へ送り出した後、更に少し引き出した状態において、図１２はプリント基板Ｐに貼り付ける状態を示している。プリント基板Ｐ上の所定の貼り付け先頭位置ＰａにマスキングテープＴの先端部Ｔａを合わせ、テープ押え片３２の舌片３３の先端でマスキングテープＴを押えながらマスキングテープ貼り付け具１を移動して、マスキングテープＴを引き出しながら所定の貼り付け終端位置Ｐｂにカット部１５を合わせる。次に、握持柄７を下方向に押すとマスキングテープＴは切断される。【００３１】  プリント基板Ｐ上の所定の貼り付け先頭位置ＰａにマスキングテープＴを貼り付けるとき、マスキングテープＴの先端部Ｔａを指先で摘んで貼り付けようとすると、先頭位置Ｐａが指先で覆われて位置が合わせにくくなる欠点がある。透明なテープ押え片３２により貼り付けるときは、マスキングテープＴの先端部Ｔａを見ながら貼り付け先頭位置Ｐａに合わすことができ、貼り付け作業が容易となる。【００３２】  尚、テープ押え片３２は透明体だけでなく、薄い弾性体にスリットを設けてテープ押え片３２の裏側のテープ状態が見えるようにしてもよい。【００３３】  尚、上記第１実施例および第２実施例において、握持柄７は、本体２の支軸８による回転動作でなく、本体２と離間および近接するスライド動作であってもよい。また、握持柄７を平板状で固定刃１７と一体とせず、握持柄７と固定刃１７を別のものとして一体的に取付けたものであってもよい。
【図面の簡単な説明】
【００３４】
【図１】本発明の第１実施例に係るマスキングテープ貼り付け具の外観を示す正面図である。
【図２】同マスキングテープ貼り付け具の外観を示す側面図である。
【図３】同マスキングテープ貼り付け具の外観を示す平面図である。
【図４】図１におけるＡ−Ａ線断面図である。
【図５】同マスキングテープ貼り付け具における動作の説明図である。
【図６】同マスキングテープ貼り付け具における動作の説明図である。
【図７】同マスキングテープ貼り付け具における動作の説明図である。
【図８】同マスキングテープ貼り付け具における動作の説明図である。
【図９】図４におけるカット部の分解斜視図である。
【図１０】図２におけるＢ−Ｂ線断面を示す断面図である。
【図１１】本発明の第２実施例に係るマスキングテープ貼り付け具にテープ押えを付けた状態を示す断面図である。
【図１２】図１１のマスキングテープ貼り付け具における動作の説明図である。
【符号の説明】
【００３５】１    マスキングテープ貼り付け具
２    本体
３    テープ保持部
６    テープガイド部
７    握持柄
１１  圧縮コイルばね１１
１５  カット部
１７  固定刃
１８  スライド刃
２０  ガイド部材
２５  圧縮コイルばね
３２  テープ押え片
Ｔ    マスキングテープ
Ｔａ  マスキングテープの先端部
Ｐ    プリント基板
Ｐａ  貼り付け先頭位置
Ｐｂ  貼り付け終端位置
【図１】
2006052086.tif 000003
【図２】
2006052086.tif 000004
【図３】
2006052086.tif 000005
【図４】
2006052086.tif 000006
【図５】
2006052086.tif 000007
【図６】
2006052086.tif 000008
【図７】
2006052086.tif 000009
【図８】
2006052086.tif 000010
【図９】
2006052086.tif 000011
【図１０】
2006052086.tif 000012
【図１１】
2006052086.tif 000013
【図１２】
2006052086.tif 000014